(57)【特許請求の範囲】
【請求項１】
ＯＬＥＤアレイに給電するための電子ドライバ装置であって、ＤＣ入力電力を受け取る入力及び出力を有するＤＣ／ＤＣコンバータを備え、前記ＤＣ／ＤＣコンバータが、
第１のＤＣ入力端子と第２のＤＣ入力端子の間に直列に結合された第１及び第２のスイッチングデバイスであって、内部ノードにおいて接合されている第１及び第２のスイッチングデバイスと、
ドライバ制御入力を含むドライバであって、前記ドライバ制御入力で受け取った信号に少なくとも部分的に従って、前記第１及び第２のスイッチングデバイスに対して、それぞれ第１及び第２のスイッチ制御信号を相補的に供給するように動作するドライバと、
前記内部ノードと前記ＯＬＥＤアレイとの間に結合されたフィルタ回路と、
コンバータ設定信号及びフィードバック信号に従って、パルス幅変調された（ＰＷＭ）信号を前記ドライバ制御入力に供給するように動作するＰＷＭ回路であって、該ＰＷＭ回路が、誤差増幅器とＰＷＭコントローラとを含み、前記誤差増幅器が、コンバータ目標値を受ける第１の入力と、前記ＯＬＥＤアレイに供給された電流を表すフィードバック信号を受ける第２の入力と、前記コンバータ目標値と前記フィードバック信号の差を示す誤差信号を供給する誤差増幅器出力とを含み、前記ＰＷＭコントローラが、前記誤差増幅器出力に接続し、前記誤差信号を受ける入力を含み、前記誤差信号に従って、前記ドライバ制御入力パルス幅変調信号を供給する、ＰＷＭ回路と、
入力設定信号を受け取る波形発生器であって、前記ドライバ設定信号に少なくとも部分的に従って、前記ＰＷＭ回路に前記コンバータ設定信号を供給するように動作し、前記コンバータ設定信号が１μｓ以上で１０ｍｓ以下の立上り時間値及び１μｓ以上で１０ｍｓ以下の立下り時間値を有する波形発生器とを備える電子ドライバ装置。
【請求項２】
前記立上り時間値と前記立下り時間値が異なるものである、請求項１記載の電子ドライバ装置。
【請求項３】
前記波形発生器が、増加プロファイル及び減少プロファイルを有する前記コンバータ設定信号を供給し、前記増加プロファイル及び減少プロファイルのうち少なくとも一方の少なくとも一部分が直線状である、請求項１または２に記載の電子ドライバ装置。
【請求項４】
前記波形発生器が、増加プロファイル及び減少プロファイルを有する前記コンバータ設定信号を供給し、前記増加プロファイル及び減少プロファイルのうち少なくとも一方の少なくとも一部分が非直線である、請求項１または２に記載の電子ドライバ装置。
【請求項５】
前記ＤＣ／ＤＣコンバータの出力に結合された入力を含み、前記ＯＬＥＤアレイを駆動するための第２のＤＣ出力を供給する第２のＤＣ／ＤＣコンバータを備える、請求項１乃至４のいずれかに記載の電子ドライバ装置。
【請求項６】
前記波形発生器が、増加プロファイル及び減少プロファイルを有する前記コンバータ設定信号を供給する、請求項１乃至５のいずれかに記載の電子ドライバ装置。
【請求項７】
前記ＤＣ／ＤＣコンバータに前記ＤＣ入力電力を供給するＤＣ電源を含む、請求項１乃至６のいずれかに記載の電子ドライバ装置。
【請求項８】
前記ＤＣ／ＤＣコンバータに前記ＤＣ入力電力を供給する整流器と、該整流器にＡＣ電力を供給するＡＣ電源とを含む、請求項１乃至６のいずれかに記載の電子ドライバ装置。
【請求項９】
前記ＤＣ入力電力の電圧を変換するブーストコンバータを含む、請求項１乃至８のいずれかに記載の電子ドライバ装置。
【請求項１０】
前記ＤＣ入力電力を受け取って、対応するＯＬＥＤアレイを駆動するために個々の出力を供給する複数のＤＣ／ＤＣコンバータを備える電子ドライバ装置であって、前記複数のＤＣ／ＤＣコンバータが、個々に、
第１のＤＣ入力端子と第２のＤＣ入力端子の間に直列に結合された第１及び第２のスイッチングデバイスであって、内部ノードにおいて接合されている第１及び第２のスイッチングデバイスと、
ドライバ制御入力を含むドライバであって、前記ドライバ制御入力で受け取った信号に少なくとも部分的に従って、前記第１及び第２のスイッチングデバイスに対して、それぞれ第１及び第２のスイッチ制御信号を相補的に供給するように動作するドライバと、
前記内部ノードと前記ＯＬＥＤアレイとの間に結合されたフィルタ回路と、
コンバータ設定信号及びフィードバック信号に従って、パルス幅変調された（ＰＷＭ）信号を前記ドライバ制御入力に供給するように動作するＰＷＭ回路と、
入力設定信号を受け取る波形発生器であって、前記ドライバ設定信号に少なくとも部分的に従って、前記ＰＷＭ回路に前記コンバータ設定信号を供給するように動作し、前記コンバータ設定信号が１μｓ以上で１０ｍｓ以下の立上り時間値及び１μｓ以上で１０ｍｓ以下の立下り時間値を有する波形発生器とを備える、請求項１乃至９のいずれかに記載の電子ドライバ装置。
【請求項１１】
前記ＤＣ入力電力を受け取って、対応するＯＬＥＤアレイを駆動するために個々の出力を供給する複数のＤＣ／ＤＣコンバータを備える電子ドライバ装置であって、前記複数のＤＣ／ＤＣコンバータが、個々に、
第１のＤＣ入力端子と第２のＤＣ入力端子の間に直列に結合された第１及び第２のスイッチングデバイスであって、内部ノードにおいて接合されている第１及び第２のスイッチングデバイスと、
ドライバ制御入力を含むドライバであって、前記ドライバ制御入力で受け取った信号に少なくとも部分的に従って、前記第１及び第２のスイッチングデバイスに対して、それぞれ第１及び第２のスイッチ制御信号を相補的に供給するように動作するドライバと、
前記内部ノードと前記ＯＬＥＤアレイとの間に結合されたフィルタ回路と、
コンバータ設定信号及びフィードバック信号に従って、パルス幅変調された（ＰＷＭ）信号を前記ドライバ制御入力に供給するように動作するＰＷＭ回路と、
入力設定信号を受け取る波形発生器であって、前記ドライバ設定信号に少なくとも部分的に従って、前記複数のＤＣ／ＤＣコンバータに前記コンバータ設定信号を供給するように動作し、前記コンバータ設定信号が１μｓ以上で１０ｍｓ以下の立上り時間値及び１μｓ以上で１０ｍｓ以下の立下り時間値を有する波形発生器とを備える、請求項１乃至９のいずれかに記載の電子ドライバ装置。
【発明の詳細な説明】
【技術分野】
【０００１】
本発明は、ＯＬＥＤアレイを駆動する装置に関する。
【背景技術】
【０００２】
有機発光ダイオード（ＯＬＥＤ）などの大面積固体デバイスは、建屋の照光、道路、並びに標識及び光ディスプレイの用途向けに、より普及しつつある。大面積ＯＬＥＤはキャパシタンスが大きく、照明アレイにおいてＯＬＥＤ列を並列接続すると、ドライバ回路から見たキャパシタンスが増加する。さらに、電荷分布の変化のためにＯＬＥＤが曲がる、又は捩じれると、キャパシタンスが変化する可能性がある。そのうえ、所与の大面積照明装置に対して、さらなるＯＬＥＤを直列に付加すると、より高い駆動電圧が必要になる。したがって、大面積ＯＬＥＤの設置には、一般に直列／並列の構成が含まれるが、直列接続ＯＬＥＤの駆動可能な数、及び直列接続ＯＬＥＤを並列接続した列の駆動可能な数については、実質的な制約がある。したがって、大面積ＯＬＥＤアレイを駆動するための改善された技法及び装置に対する必要性が残されている。
【先行技術文献】
【特許文献】
【０００３】
【特許文献１】米国特許出願公開第２００９／００７３１５６号
【発明の概要】
【０００４】
本開示により、ＯＬＥＤアレイを駆動する装置が提供され、同装置では、波形発生器が、ＤＣ／ＤＣコンバータ段の電流制御の設定値の立上り時間及び立下り時間を遅くし、したがって、アレイの高容量性ＯＬＥＤパネルに見られる電流スパイクを防止する、又は緩和する。この制御装置は、デバイスの電源が入ったとき、電流の立上りを遅くするのに、又は照明設定値が、照明出力の増加もしくは減少のステップ又は急速な変化を含んでいるときに、好都合に役立つ。波形制御の概念は、出力電流のオーバーシュートを抑制するのに用いられてよく、出力電流のオーバーシュートは、開示された概念を用いなければ定格電流の４０％になる可能性がある。過大な電流スパイクなしで大キャパシタンス出力を動作させる改善された能力により、デバイスの早期劣化を好都合に緩和することができ、したがって所与の照明装置の利用可能な耐用年数が延びる。そのうえ、直列接続のＯＬＥＤには、しばしば、起動中には個々の要素がむらなく照光することがないという弱点がある。
【０００５】
本開示の１つ以上の態様によれば、ＯＬＥＤアレイに給電するための電子ドライバ装置が提供される。このドライバは、コンバータのＰＷＭ回路にコンバータ設定信号を供給する波形発生器とともに、１以上のＤＣ／ＤＣコンバータ段を含む。ＤＣ／ＤＣコンバータは、第１のＤＣ入力端子と第２のＤＣ入力端子の間に直列に結合されたスイッチングデバイスであって、内部ノードにおいて接合されている第１及び第２のスイッチングデバイス、並びに、両スイッチングデバイスに対して、ドライバ制御入力で受け取った信号に基づいて第１及び第２のスイッチ制御信号を相補的に供給するドライバを有する。ＰＷＭ回路は、フィードバック信号及び波形発生器からのコンバータ設定信号に従って、パルス幅変調された信号をドライバ制御入力に供給する。波形発生器は、駆動されるＯＬＥＤアレイ向けの、所望の光出力を表すユーザ選択の減光値などの入力設定信号を受け取り、電流のオーバーシュート問題を防止する、又は緩和するために最短の遷移時間値を用い、ドライバ設定信号に少なくとも部分的に基づいて、１μｓ以上であり得る特定の立上り時間及び立下り時間を有するコンバータ設定信号を供給する。
【０００６】
特定の実施形態では、波形発生器は、１μｓ以上で１０ｍｓ以下の立上り時間値及び立下り時間値を有するコンバータ設定信号を供給し、立上り時間値と立下り時間値は、同一でも異なってもよい。特定の実施形態では、コンバータ設定信号は増加プロファイル及び減少プロファイルを含み、増加プロファイル及び減少プロファイルの少なくとも一部分は直線状である。そのうえ、いくつかの実装形態では、増加プロファイル及び減少プロファイルの少なくとも一部分が非直線でもよい。いくつかの実施形態のドライバは、ランプ制御されたＤＣ／ＤＣコンバータの出力とＯＬＥＤアレイの間に第２のＤＣ／ＤＣコンバータを設ける。
【０００７】
特定の実施形態では、ドライバには、ＤＣ入力電力を受け取って、対応するＯＬＥＤアレイを駆動するために個々の出力を供給する２つ以上のＤＣ／ＤＣコンバータが含まれる。個々のコンバータには、スイッチングデバイスと、ドライバと、コンバータ設定信号及びフィードバック信号に従って、ドライバ制御入力にパルス幅変調された信号を供給するＰＷＭ回路とが含まれる。特定の実施形態では、個々のＤＣ／ＤＣコンバータが、１μｓ以上の立上り時間値及び立下り時間値を有するドライバ設定信号に少なくとも部分的に従ってＰＷＭ回路にコンバータ設定信号を供給する、対応する波形発生器を有する。特定の実施形態では、共有の波形発生器が、制御された１μｓ以上の立上り時間及び立下り時間を有する個々のＤＣ／ＤＣコンバータのＰＷＭ回路に、共通のコンバータ設定信号を供給する。
【０００８】
１つ以上の例示的実施形態を、以下の詳細な説明及び図面で説明する。
【図面の簡単な説明】
【０００９】
【図１】ループ補償器フィードバック及び可調出力インダクタンスを有するＰＷＭ制御されたＤＣ／ＤＣコンバータを有し、波形発生器が最小限の立上り時間及び立下り時間を有するランプ状の設定値のプロファイルをもたらす、例示のＯＬＥＤドライバ装置を示す概略図である。
【図２】図１の波形発生器が受け取る、ユーザ選択の照明設定値の波形と、波形発生器によって供給され、最小限の立上り時間値及び立下り時間値を有する、２つの例示のＤＣ／ＤＣコンバータ電流の設定値のプロファイルとを示すグラフである。
【図３Ａ−３Ｄ】図１の波形発生器によって実施される、さまざまな例示の電流設定値の立上り時間のプロファイルを示すグラフである。
【図４Ａ−４Ｄ】図１の波形発生器によって実施される、さまざまな例示の電流設定値の立下り時間のプロファイルを示すグラフである。
【図５】可調出力インダクタンスと、最小限の立上り時間及び立下り時間を有するランプ状の設定値のプロファイルをもたらす波形発生器とを有し、ループ補償されたＤＣ／ＤＣコンバータと駆動されるＯＬＥＤアレイとの間に出力変換器を含む、別の例示的ＯＬＥＤドライバ装置を示す概略図である。
【図６】最小限の立上り時間及び立下り時間を有するランプ状のコンバータ設定値のプロファイルをもたらす対応する波形発生器を伴う多重ループ補償されたＤＣ／ＤＣコンバータを有する実施形態を示す概略図である。
【図７】多重ループ補償されたＤＣ／ＤＣコンバータと、最小限の立上り時間及び立下り時間を有するランプ状のコンバータ設定値のプロファイルをもたらす共通の波形発生器とを有する別の実施形態を示す概略図である。
【発明を実施するための形態】
【００１０】
次に図面を参照すると、全体にわたって、同じ要素を参照するのに同じ参照数字が用いられており、さまざまなフィーチャは必ずしも原寸に比例しない。図１は、ＡＣ電源１０２から入力電力を受け取る電子ドライバ装置１００を示しており、整流器１０４が初期のＤＣ出力を供給する。ドライバ１００は、ループ補償されたＰＷＭ制御のＤＣ／ＤＣコンバータ１１０に対して増強されたＤＣ入力１１０ａを供給するために、初期のＤＣを変換する遷移モードのブーストコンバータ１０６（図中に破線で示されている）を適宜含んでよい。特定の実施形態では、装置１００は、代わりに、遷移モードのブーストコンバータ１０６を用いて、又は用いずに、ＤＣ電源１０８（これも図中に破線で示されている）からＤＣ入力電力を直接受け取ってよい。ＤＣ／ＤＣコンバータ段１１０は、有機ＬＥＤパネル１３６の直列／並列の組合せを含み得るＯＬＥＤアレイ１３６に給電するために、用いられるＤＣ出力１１０ｂを供給するように、ＤＣ入力電力１１０ａを直接的又は間接的に変換する。ドライバ１００は、そのうえ、図５及び図６に例示されるように、ＯＬＥＤアレイ１３６に給電するためのドライブ電流を供給するように、ＤＣ出力１１０ｂを変換する第２の（出力）変換器１３２（例えば、バックブーストＤＣ／ＤＣコンバータ、ブースト型ＤＣ／ＤＣコンバータ又は他の形態のＤＣ／ＤＣコンバータ）を含んでよい。
【００１１】
ＤＣ／ＤＣコンバータ１１０は、入力１１０ａでＤＣ入力電力を受け取り、このＤＣバス電力を、第１のＭＯＳＦＥＴスイッチＱ１及び第２のＭＯＳＦＥＴスイッチＱ２によって選択的に切り換えて、中間コンバータノード１１０ｃを２つのＤＣバスライン１１０ａ１（例えばプラス）及び２２０ａ２（マイナス）のうちの１つと選択的に結合し、また、直列インダクタＬ１及びＤＣ出力キャパシタＣ１を含むフィルタ回路１２０が、内部ノード１１０ｃとＤＣ／ＤＣコンバータの出力１１０ｂの間に結合されている。他のスイッチを用いることができるが、第１のスイッチングデバイスＱ１及び第２のスイッチングデバイスＱ２は、示された実施形態ではｎチャネルのデバイスである。示された実装形態では、Ｑ１は、高い方のＤＣバスライン１１０ａ１に結合されたドレインと、中間ノード１１０ｃでＱ２のドレインに結合されたソースとを有し、Ｑ２のソースは、低い方のＤＣバスライン１１０ａ２に接続されている。Ｑ１は、第１のスイッチング状態（オン）で、第１のＤＣ入力端子１１０ａ１を中間出力ノード１１０ｃへ電気的に接続し、第２のスイッチング状態（オフ）で、第１のＤＣ入力端子１１０ａ１を中間出力ノード１１０ｃから切り離すように動作する。Ｑ２は同様に動作し、第１のスイッチング状態（オン）で、中間出力ノード１１０ｃを第２のＤＣ入力端子１１０ａ１へ電気的に接続し、第２のスイッチング状態（オフ）で、中間出力ノード１１０ｃを第２のＤＣ入力端子１１０ａ１から切り離す。
【００１２】
コンバータ１１０は、ＰＷＭ回路１１１及びドライバ１１６を含み、この場合、高電圧集積回路（ＨＶＩＣ）ドライバの第１のドライバ出力及び第２のドライバ出力が、それぞれＱ１の制御ゲート及びＱ２の制御ゲートに結合されている。図示の実施形態では、ＰＷＭ回路１１１は、ＰＷＭコントローラ１１２及び誤差増幅器１１４（ＰＷＭコントローラ１１２への誤差入力を生成する加算接続点として示されている）を含み、ドライバ１１６及びＰＷＭコントローラ１１２は、ＰＷＭ電源１１８から給電され、ＰＷＭ電源１１８は、ドライバ１００のデバイス電力を供給する電力変換回路（図示せず）から引き出され得る。ＰＷＭ回路１１１は、コンバータ設定信号１４６及びフィードバック信号１４８に従って、パルス幅変調された（ＰＷＭ）信号をドライバ制御入力に供給し、誤差増幅器１１４が、コンバータの目標値１４６と、ＯＬＥＤアレイ１３６に供給される電流から感知抵抗Ｒ１によって導出された（ＯＬＥＤアレイ１３６に供給される電流を表す）フィードバック信号１４８との間の差として、誤差入力をＰＷＭコントローラ１１２に供給する。ドライバ１１６は、ドライバ制御入力でＰＷＭコントローラ１１２から受け取った信号に少なくとも部分的に基づいて、スイッチＱ１及びＱ２に対して第１及び第２のスイッチ制御信号を相補的に供給する。
【００１３】
出力段１３０は、図５に示されるものなどの特定の実施形態では、第２の出力変換器段、すなわち出力変換器段１３２を含んでよい。示された実施形態における例示のＯＬＥＤアレイ１３６は、本開示の厳密な要件ではないが２４０Ｖ以下の動作電圧に結合された１つ以上の直列接続ＯＬＥＤの列を含む。他の実施形態では、ＯＬＥＤの列は直列であって、結合される動作電圧は１２０Ｖ以下であり、複数の列が並列接続され、動作電圧は約１２０Ｖ以下である。特定の実施形態では、ＯＬＥＤアレイ１３６は、結合される動作電流が約１Ａ以下の複数の列を並列に含む。そのうえ、特定の実施形態では、ドライバ１００は、最小限のコンバータ電流の設定値がＯＬＥＤシステムの動作電流の約１０％であり、ＰＷＭ回路１１１は、約１００ｋＨｚ以下のＰＷＭクロック周波数を用いる。
【００１４】
この装置は、ユーザの減光制御又はその他の適切な光出力設定値源（図示せず）からの所望の光出力信号などの入力設定信号１４２を受け取る波形発生器１４０を含み、光出力設定値は、固定値とする（例えばドライバ１００に電力が与えられている間中、ＯＬＥＤアレイ１３６を１００％で動作させる）ことができる。波形発生器１４０は、ドライバ設定信号１４２に少なくとも部分的に基づいて、ＰＷＭ回路１１１に、電流設定値としてコンバータ設定信号１４６を供給し、また、コンバータ設定信号１４６を生成する際に、最小限の立上り時間及び／又は立下り時間をもたらす、又は強制することにより、光設定値１４２におけるいかなる高速の移行も遅くするように動作する。図示の実装形態では、波形発生器１４０は、アナログ回路、プログラマブルデバイス、適切なプログラムコードを有するプロセッサベースの回路、又はそれらの組合せであり得て、１つ以上の記憶された、又はプログラムされた設定値立上り時間及び設定値立下り時間の値１４４（ＴＲＩＳＥ及びＴＦＡＬＬ）を含む。
【００１５】
図２〜図４Ｄも参照すると、図２は、波形発生器１４０が受け取る、例示のユーザ選択の照明設定値１４２を示すグラフ２００であり、照明設定値１４２は、時間ｔ１における光出力の０％から１００％への初期の階段状変化と、次の、ｔ２における第１の中間の光出力値への階段状変化と、続く、ｔ３における１００％へ戻る階段状変化と、ｔ４における第２の中間レベルへの階段状変化と、時間ｔ５における全出力への別の階段状変化とを含む。この例示の順序では、階段状変化が、波形発生器１４０により、最小限の立上り時間ＴＲＩＳＥ及び最小限の立下り時間ＴＦＡＬＬを強制することによって遅くされる。図２は、受け取られる光設定信号値の順序１４２に対応する、２つの例示のＤＣ／ＤＣコンバータの電流設定値のプロファイル１４６ａ及び１４６ｂを示し、第１の実例１４６ａは、レベル間の移行において全体的に直線状の傾斜プロファイルをもたらし、第２の実例１４６ｂは、このような移行に関して非直線の（例えば湾曲した）プロファイルをもたらす。
【００１６】
図示の実施形態では、波形発生器１４０は、１μｓ以上の立上り時間値ＴＲＩＳＥ及び１μｓ以上の立下り時間値ＴＦＡＬＬを有するコンバータ設定信号１４６を供給する。そのうえ、特定の実施形態では、波形発生器１４０は、１μｓ以上で１０ｍｓ以下の立上り時間値ＴＲＩＳＥ及び１μｓ以上で１０ｍｓ以下の立下り時間値ＴＦＡＬＬを有するコンバータ設定信号１４６を供給し、立上り時間値ＴＲＩＳＥと立下り時間値ＴＦＡＬＬは、別々のものでよいが、別々である必要性はない。そのうえ、コンバータ設定値１４６における立上り及び立下りの移行のプロファイル又は形状は、少なくとも部分的に直線状であり、かつ／又は少なくとも部分的に湾曲している、すなわち非直線である。図３Ａ〜図３Ｄは、波形発生器１４０の働きによって供給される、コンバータ設定値の立上り時間プロファイル１４６のいくつかの限定的でない詳細な実例を示しており、湾曲した立上りプロファイル（図３Ａ）、厳密に直線状のプロファイル（図３Ｂ）、第１の直線状の部分１４６１及び第２の湾曲部分１４６２を有する複合プロファイル（図３Ｃ）、並びに図３Ｄの複数の直線状の部分を有する部分的に直線状のプロファイルを含む。図４Ａ〜図４Ｄは、さまざまな例示の電流設定値の立下り時間のプロファイルを示しており、湾曲したプロファイル（図４Ａ）、真っすぐな（直線状の）プロファイル（図４Ｂ）、湾曲部分１４６１及び直線状の部分１４６２を有する減少プロファイル（図４Ｃ）、及びいくつかの直線状の部分を有するプロファイル（図４Ｄ）を含む。
【００１７】
図５も参照して、ループ補償されたＤＣ／ＤＣコンバータ１１０とＯＬＥＤアレイ１３６の間に結合された出力変換器１３２を有する別のドライバの実施形態１００が示されている。出力変換器１３２は、特定の実例では、バックブースト又はブースト型の出力変換器段１３２など、任意のタイプのＤＣ／ＤＣコンバータとすることができる。
【００１８】
図６及び図７も参照して、図６は、前述のように最小限の立上り時間及び立下り時間を有するランプ状のコンバータ設定値のプロファイル１４６１〜１４６ｎをもたらす対応した波形発生器１４０１〜１４０ｎを伴う複数のループ補償されたＤＣ／ＤＣコンバータ１１０１〜１１０ｎを有する別のドライバ装置の実施形態１００を示す。この実装形態では、各波形発生器１４０は、立上り時間ＴＲＩＳＥ及び立下り時間ＴＦＡＬＬと、前述のような対応する波形の移行プロファイルとを、対応して駆動されるＯＬＥＤアレイ１３６１〜１３６ｎの容量特性に従って個別に供給するように、個々に構成することができる。図７は、多重ループ補償されたＤＣ／ＤＣコンバータ１１０１〜１１０ｎを使用する別の実装形態を示しており、共有の波形発生器１４０が、最小限の立上り時間ＴＲＩＳＥ及び立下り時間ＴＦＡＬＬを有するランプ状のコンバータ設定値のプロファイルをもたらす。
【００１９】
上記の実例は、本開示のさまざまな態様のいくつかの可能な実施形態の単なる例示であり、当業者なら、本明細書及び添付の図面を解読し理解すれば、同等な改変形態及び／又は修正形態が思い浮かぶはずである。具体的には、前述の構成要素（組立体、デバイス、システム、回路など）によって実施されるさまざまな機能に関して、このような構成要素を説明するのに用いられる（「手段」への参照を含む）用語は、別様に示されなければ、本開示の説明された実装形態の機能を遂行する開示された構造体と構造的に同等ではないにしても、説明された構成要素の特定の機能を遂行するハードウェア、プロセッサで実行されるソフトウェア又はそれらの組合せなどの任意の構成要素（すなわち機能的に同等なもの）に相当するように意図されている。本開示の特定の特徴は、いくつかの実装形態のうちの１つに関してのみ図示され、かつ／又は説明されているが、このような特徴は、任意の所与の用途又は特定の用途向けに望まれ得る有利な他の実装形態の１つ以上の他の特徴と組み合わせてもよい。さらに、単一の構成要素又は項目への言及は、別段の定めがない限り、２つ以上のこのような構成要素又は項目を包含するように意図されている。また、用語「備える」、「含む」、「有する」、「有する」、「伴う」又はそれらの変形は、発明を実施するための形態及び／又は特許請求の範囲で用いられる範囲において、このような用語は、用語「備える」に類似して、包括的であるように意図されている。好ましい実施形態を参照しながら本発明が説明されてきた。明らかに、先の詳細な説明を解読し理解すると直ちに、修正形態及び改変形態が他者に想起されるであろう。本発明は、そのような修正形態及び改変形態をすべて含むものとして解釈されることが意図されている。
【図１】
0005911887.tif 000002
【図２】
0005911887.tif 000003
【図３Ａ−３Ｄ】
0005911887.tif 000004
【図４Ａ−４Ｄ】
0005911887.tif 000005
【図５】
0005911887.tif 000006
【図６】
0005911887.tif 000007
【図７】
0005911887.tif 000008